(57)【特許請求の範囲】
【請求項１】
１または複数の入力ポートおよび複数の出力ポートと、
平面上にマトリクス状に配列された複数の画素、および前記複数の画素を駆動する駆動素子を有し、前記駆動素子が画素位置に応じて変化する位相量である位相パターンを与えることにより、前記入力ポートから入力された光信号に対して空間位相変調を行い、変調された光信号を、所定の軸線に沿って配置された複数の出力ポートのうち所定の出力ポートに光結合させる位相変調素子とを備え、前記入力ポートから入力された前記光信号を、第１の出力ポートに光結合させた状態から第２の出力ポートに光結合させた状態へ切り替えるための光入出力装置の制御方法であって、
前記駆動素子が、前記光信号を前記第１の出力ポートに光結合させるために、前記所定の軸線に沿って第１の周期で変化し振幅が２πの第１の位相パターンを与える第１のステップと、
前記駆動素子が、前記所定の軸線に沿って前記第１の周期とは異なる第２の周期で変化し振幅がｎπ（ｎは０＜ｎ＜２の任意の数）である複数の減衰パターンを、それぞれ前記第１の位相パターンに重畳した複数の中間パターンを与える第２のステップであって、前記複数の中間パターンは、前記振幅を０から２πに向かって段階的に増加させた複数の減衰パターンが、前記第１の位相パターンに重畳されていることと、
前記駆動素子が、前記振幅が２πの減衰パターンを、前記第１の位相パターンに重畳した第２の位相パターンを与える第３のステップと
を備えたことを特徴とする光入出力装置の制御方法。
【請求項２】
前記第２の位相パターンは、前記光信号を前記第２の出力ポートに光結合させるための位相パターンであることを特徴とする請求項１に記載の光入出力装置の制御方法。
【請求項３】
前記位相変調素子から前記複数の出力ポートの全てを含む角度範囲をポート領域としたとき、前記第２の位相パターンは、前記ポート領域外の前記所定の軸線上の位置に光結合させるための位相パターンであり、
前記駆動素子が、前記第２の出力ポートに光結合させるための第３の位相パターンを与える第４のステップをさらに備えることを特徴とする請求項１に記載の光入出力装置の制御方法。
【請求項４】
前記位相変調素子から前記複数の出力ポートの全てを含む角度範囲をポート領域としたとき、前記第２の位相パターンは、前記ポート領域外の前記所定の軸線上の位置に光結合させるための位相パターンであり、
前記駆動素子が、前記第３のステップで与えられた前記第２の位相パターンの振幅を減少させた位相パターンを与える第４のステップと、
前記駆動素子が、前記第２の出力ポートに光結合させるための第３の位相パターンを与える第５のステップと
をさらに備えることを特徴とする請求項１に記載の光入出力装置の制御方法。
【請求項５】
１または複数の入力ポートおよび複数の出力ポートと、
平面上にマトリクス状に配列された複数の画素、および前記複数の画素を駆動する駆動素子を有し、前記駆動素子が画素位置に応じて変化する位相量である位相パターンを与えることにより、前記入力ポートから入力された光信号に対して空間位相変調を行い、変調された光信号を、所定の軸線に沿って配置された複数の出力ポートのうち所定の出力ポートに光結合させる位相変調素子とを備え、前記入力ポートから入力された前記光信号を、第１の出力ポートに光結合させた状態から第２の出力ポートに光結合させた状態へ切り替える光入出力装置であって、
前記駆動素子は、
前記光信号を前記第１の出力ポートに光結合させるために、前記所定の軸線に沿って第１の周期で変化し振幅が２πの第１の位相パターンを与え、
前記所定の軸線に沿って前記第１の周期とは異なる第２の周期で変化し振幅がｎπ（ｎは０＜ｎ＜２の任意の数）である複数の減衰パターンを、それぞれ前記第１の位相パターンに重畳した複数の中間パターンを与えることであって、前記複数の中間パターンは、前記振幅を０から２πに向かって段階的に増加させた複数の減衰パターンが、前記第１の位相パターンに重畳されており、
前記振幅が２πの減衰パターンを、前記第１の位相パターンに重畳した第２の位相パターンを与えることを特徴とする光入出力装置。
【発明の詳細な説明】
【技術分野】
【０００１】
本発明は、光入出力装置およびその制御方法に関し、より詳細には、位相変調素子により出力光の方路および光強度を制御する光入出力装置およびその制御方法に関する。
【背景技術】
【０００２】
インターネットトラフィックの増大に伴って、光ファイバ通信における通信容量増加のニーズは一層高まっている。光ファイバ通信のルーティング機能デバイスとして注目を集めている技術に光スイッチがある。光スイッチの中でも自由空間上で光の方路を切り替える空間光学系光スイッチは、高密度実装、消費電力低減化の観点から他の方式に比べて優れており、近年技術開発が進展している。
【０００３】
空間光学系光スイッチの基本構成について述べる。一般的に空間光学系光スイッチは、入力ファイバと出力ファイバの間の自由空間上に、いくつかのレンズと光ビームの進行方向を変える光ビーム偏向素子とから構成される。光ビーム偏向素子として、ＭＥＭＳ（Micro Electro Mechanical Systems）、ＬＣＯＳ−ＳＬＭ（Liquid Crystal on Silicon Spatial Light Modulator）が使われている。代表的な光スイッチとして、入出力ファイバアレイとコリメートレンズアレイ、２組の光ビーム偏向素子群から構成される光クロスコネクトスイッチ（ＯＸＣ）が知られている。また、入出力ファイバアレイ、コリメートレンズアレイ、レンズ群、分散素子、およびビーム偏向素子群からなる波長選択スイッチ（ＷＳＳ）などが知られている。
【０００４】
空間光学系光スイッチは、空間上での配線自由度が高い一方でファイバ等による光の閉じ込めが出来ないため、目的出力ポート外への意図しない光の漏れが課題となる。特に複数の出力ポートを配置する構成の光スイッチでは、近接ポートへの光の漏れはクロストークとして信号品質の劣化を招くため、極めて重要な技術開発項目である。
【０００５】
光スイッチの機能として、出力ポートの切り替え動作である光スイッチング、出力ポートの光強度のコントロールを行う光減衰（アッテネーション）機能がある。空間光学系光スイッチにおける光減衰機能としては、各出力ポートの後段に個別に光減衰器を取り付ける手法などがある。しかしながら、ポート数の増大と共にコストやサイズの増大を招くことに加え、ＷＳＳで求められる波長ごとのアッテネーション動作ができない。そのため、光スイッチ内の光ビーム偏向素子にその機能を付加する方法が考えられる（例えば、非特許文献１，２参照）。
【０００６】
光ビーム偏向素子において、光スイッチング動作、アッテネーション動作を行う場合、これら動作の途中に、所望の出力ポート以外のポートに光が結合してしまう。このような瞬間的なクロストークを、ダイナミッククロストークという。従って、光ビーム偏向素子による光スイッチング動作、アッテネーション動作には、ダイナミッククロストークの発生を抑制するような制御方法が求められている。このような制御方法を、「ヒットレス制御」という。
【先行技術文献】
【非特許文献】
【０００７】
【非特許文献１】T. Fujita et al, "Blazed grating and Fresnel lensen fabricated by electron-beam lithography", OPTICS LETTERS, Vol.7,No.12, pp.578-580, December 1982.
【非特許文献２】R. Magnusson et al, "Diffraction efficiencies of thin phase gratings with arbitrary grating shape", J. Optical Society of America, Vol.68, No.6, pp.806-809, June 1978.
【発明の概要】
【発明が解決しようとする課題】
【０００８】
光ビーム偏向素子を用いたヒットレス制御には、例えば、出力ポートに向けた光ビームが、所望の出力ポート以外のポートに結合しないような経路により、偏向角を変化させる制御方法がある（例えば、特許文献１参照）。しかしながら、このような制御方法は、光ビーム偏向素子が、２軸以上の自由度を有することが求められる。また、入出力ポートが疎に配置されている場合には有効であるが、入出力ポートが密に配置される場合には、どのような経路を経ても、他のポートに結合してしまうため、ダイナミッククロストークが発生してしまう。従って、偏向角を制御する以外のヒットレス制御手法が求められている。
【課題を解決するための手段】
【０００９】
本発明の目的は、ダイナミッククロストークを抑制可能なヒットレス制御機能を有する光入出力装置およびその制御方法を提供することにある。
【００１０】
本発明は、このような目的を達成するために、光入出力装置の制御方法の一実施態様は、１または複数の入力ポートおよび複数の出力ポートと、平面上にマトリクス状に配列された複数の画素、および前記複数の画素を駆動する駆動素子を有し、前記駆動素子が画素位置に応じて変化する位相量である位相パターンを与えることにより、前記入力ポートから入力された光信号に対して空間位相変調を行い、変調された光信号を、所定の軸線に沿って配置された複数の出力ポートのうち所定の出力ポートに光結合させる位相変調素子とを備え、前記入力ポートから入力された前記光信号を、第１の出力ポートに光結合させた状態から第２の出力ポートに光結合させた状態へ切り替えるための光入出力装置の制御方法であって、前記駆動素子が、前記光信号を前記第１の出力ポートに光結合させるために、前記所定の軸線に沿って第１の周期で変化し振幅が２πの第１の位相パターンを与える第１のステップと、前記駆動素子が、前記所定の軸線に沿って前記第１の周期とは異なる第２の周期で変化し振幅がｎπ（ｎは０＜ｎ＜２の任意の数）である複数の減衰パターンを、それぞれ前記第１の位相パターンに重畳した複数の中間パターンを与える第２のステップであって、前記複数の中間パターンは、前記振幅を０から２πに向かって段階的に増加させた複数の減衰パターンが、前記第１の位相パターンに重畳されていることと、前記駆動素子が、前記振幅が２πの減衰パターンを、前記第１の位相パターンに重畳した第２の位相パターンを与える第３のステップとを備えた。
【発明の効果】
【００１１】
本発明によれば、複数の位相パターンを設定して、入力ポートからの光信号を段階的に所定の出力ポートに光結合させることにより、他の出力ポートへのクロストークの発生を抑制しつつ出力ポートの切り替え及び光強度の減衰が可能となる。
【図面の簡単な説明】
【００１２】
【図１】本実施形態にかかる光入出力装置の第１の基本構成を示す図である。
【図２】第１の基本構成をＷＤＭに適用する場合の構成を示す図である。
【図３】本実施形態にかかる光入出力装置の第２の基本構成を示す図である。
【図４】第２の基本構成をＷＤＭに適用する場合の構成を示す図である。
【図５】本実施形態にかかる位相変調素子の構成を示す図である。
【図６】位相変調素子に設定する位相パターンの一例を示す図である。
【図７】反射型位相変調素子における回折の例を示す図である。
【図８】位相変調素子からの出射光の光強度分布を示す図である。
【図９】位相変調素子に設定する周期性位相パターンの一例を示す図である。
【図１０】位相変調素子からの出射光に与える位相量と出射光の光強度との関係を示す図である。
【図１１】出力方路選択方法および光強度制御方法の模式図である。
【図１２】実施例１にかかる位相パターンの設定方法を示す図である。
【図１３】実施例２にかかる位相パターンの設定方法を示す図である。
【図１４】実施例２にかかる位相パターンの設定方法を示す図である。
【図１５】実施例３にかかる位相パターンの設定方法を示す図である。
【図１６】実施例３にかかる位相パターンの設定方法を示す図である。
【図１７】実施例３にかかる位相パターンの設定方法を示す図である。
【図１８】実施例４にかかる位相パターンの設定方法を示す図である。
【図１９】実施例４にかかる位相パターンの設定方法を示す図である。
【図２０】実施例４にかかる位相パターンの設定方法を示す図である。
【図２１】実施例の比較をまとめた図である。
【発明を実施するための形態】
【００１３】
以下、図面を参照しながら本発明の実施形態について詳細に説明する。本実施形態にかかる光入出力装置は、光ファイバ通信ネットワークで用いられる光入出力装置であり、位相変調素子により出力光の方路および光強度を制御する。位相変調素子の種別に応じて、次の２つの基本構成がある。
【００１４】
［第１の基本構成］
図１に、本実施形態にかかる光入出力装置の第１の基本構成を示す。第１の基本構成は、反射型位相変調素子を用いた光入出力装置である。図１は、ｘ軸方向から見た光入出力装置の構成を示す。ここで、光信号が伝搬する方向をｚ軸とし、入出力ポートが配列される方向をｙ軸としている。入力光（信号光）は、入力ポートである光ファイバ１１を介して空間に出射され、コリメートレンズ１２を介し、光学素子１３に与えられる。光学素子１３からの出射光は、位相変調素子１４によって反射され、再び光学素子１３を介し、コリメートレンズアレイ１２、１５−１〜１５−ｎ、光ファイバ１１、１６−１〜１６−ｎへ与えられる。
【００１５】
位相変調素子１４は、マトリックス状に平面配列された複数の画素を有する反射型位相変調素子からなる。駆動回路１８から位相変調素子１４へ与えられた位相パターンによって、画素位置に応じて変化する位相量を与える。光ファイバ１１からコリメートレンズ１２および光学素子１３を介して入力された入射光は、各画素に与えられた位相量に応じて、空間位相変調される。変調された出射光は、出力ポートである光ファイバ１６−１〜１６−ｎのうち、指定された出力ポートに対応する光ファイバへ、所望の光強度で出射される。位相変調素子１４には、偏向機能だけでなく、レンズ機能を有する位相パターンを重畳してもよい。各画素４１−１１、４１−ｐｑは、駆動回路１８、３０からの駆動信号応じて、内臓の駆動素子４２から、画素位置に応じて変化する位相量が与えられる。
【００１６】
光学素子１３は、入力された光を位相変調素子１４に向けて出射するように信号光の出射方向を変換する。例えば、レンズ、プリズム、回折格子などを用いることができる。
【００１７】
図２に、第１の基本構成をＷＤＭに適用する場合の構成を示す。入力する信号光は、例えば波長λｐ〜λｑまでを束ねるＷＤＭ（Wavelength Division Multiplexing）光でもよい。コリメートレンズ１２、１５−１〜１５−ｎと光学素子１３との間に、波長分散素子１７を配置し、波長ごとに集光位置を異なるようにし、波長ごとに異なる出力ポート、光強度を選択可能とする。
【００１８】
波長分散素子１７は、紙面垂直方向（ｘ軸方向）に回折性能を有しており、入力光の波長により位相変調素子１４の紙面垂直方向の異なる位置に光を照射する。なお、波長分散素子１７は、光学素子１３と位相変調素子１４の間に配置してもよい。
【００１９】
なお、光入出力装置は、複数の入力ポートから複数の出力ポートへのスイッチング動作が可能なように構成できることは明らかである。
【００２０】
［第２の基本構成］
図３に、本実施形態にかかる光入出力装置の第２の基本構成を示す。第２の基本構成は、透過型位相変調素子を用いた光入出力装置である。図２は、ｘ軸方向から見た光入出力装置の構成を示す。ここで、光信号が伝搬する方向をｚ軸とし、入出力ポートが配列される方向をｙ軸としている。入力光（信号光）は、入力ポートである光ファイバ２１を介して空間に出射され、コリメートレンズ２２を介し、第１の光学素子２３に与えられる。第１の光学素子２３からの出射光は、位相変調素子２４、第２の光学素子２５を介し、コリメートレンズアレイ２６−１〜２６−ｎ、光ファイバ２７−１〜２７−ｎへ与えられる。
【００２１】
位相変調素子２４は、マトリックス状に平面配列された複数の画素を有する反射型位相変調素子からなる。駆動回路３０から位相変調素子２４へ与えられた位相パターンによって、画素位置に応じて変化する位相量を与える。第１の光学素子２３からの出射光は、各画素に与えられた位相量に応じて、空間位相変調される。変調された出射光は、出力ポートである光ファイバ２７−１〜２７−ｎのうち、指定された出力ポートに対応する光ファイバへ、所望の光強度で出射される。位相変調素子２４には、偏向機能だけでなく、レンズ機能を有する位相パターンを重畳してもよい。
【００２２】
図４に、第２の基本構成をＷＤＭに適用する場合の構成を示す。入力する信号光は、例えば波長λｐ〜λｑまでを束ねるＷＤＭ（Wavelength Division Multiplexing）光でもよい。コリメートレンズ２２と光学素子２３との間に波長分散素子２８を配置するとともに、コリメートレンズ２６−１〜２６−ｎと光学素子２５との間にも波長分散素子２９を配置して、波長ごとに集光位置を異なるようにし、波長ごとに異なる出力ポート、光強度を選択可能とする。
【００２３】
波長分散素子２８、２９は、紙面垂直方向（ｘ軸方向）に回折性能を有しており、入力光の波長により位相変調素子２４の紙面垂直方向に異なる位置に光を照射する。なお、波長分散素子２８、２９は、光学素子２３と位相変調素子２４との間、位相変調素子２４と光学素子２５との間に配置してもよい。
【００２４】
光入出力装置１０にかかる第１および第２の基本構成については、前述した構成に限定されるものではない。例えば、第１および第２の基本構成において、光ファイバ１１、２１，１６−１〜１６−ｎ、２７−１〜２７−ｎは、平面光導波路に置き換えてもよい。また、平面光導波路がコリメートレンズ１２，１５−１〜１５−ｎ、２２、２７−１〜２７−ｎの機能を有していても構わない。また、位相変調素子１４，２４は、偏向機能だけでなく、レンズ機能を有する位相パターンをさらに重畳させてもいてもよい。また、結果として最終的に印加される位相変調素子の位相量は、画素位置に対して周期的に変化していなくてもよい。
【００２５】
［位相変調器の構成］
図５に、本実施形態にかかる位相変調素子の構成を示す。位相変調素子１４、２４として、反射型の位相変調素子をｚ軸方向から見た場合の構成を示す。図５（Ａ）は光照射領域を示し、図５（Ｂ）は波長チャネルに分解した光照射領域を示す。位相変調素子１４はｘｙ平面上にマトリクス状に配列されたｐ×ｑ個の画素と、裏面に反射部４３とを備えている。各画素４１−１１、４１−ｐｑは、駆動回路１８、３０からの駆動信号応じて、内臓の駆動素子４２から、画素位置に応じて変化する位相量が与えられる。なお、透過型の位相変調素子は、図５の裏面の反射部４３を設けない構成であり、基本的な動作は同一である。
【００２６】
第１および第２の基本構成の光入出力装置において、単波長の入力光を、位相変調素子に入射した場合には、光照射領域は、図５（Ａ）に示す領域Ｒとなる。領域Ｒ内の各画素に、特定の位相パターンを与えることによって、位相変調素子からの出射光の波面を制御し、出射光の進行方向及びその方向の光強度の制御を行うことができる。
【００２７】
また、第１および第２の基本構成の光入出力装置において、入射光をＷＤＭ信号とし、回折格子でｘ軸方向（例えば図２，４の紙面垂直方向）に分散させる場合、光照射領域は、図５（Ｂ）に示すように波長チャンネルごとに異なり、領域Ｒ１〜Ｒｎのようになる。この場合、領域Ｒ１〜Ｒｎの位相パターンを独立に制御することにより、波長チャンネルごとに異なる出力ポート、出力光強度を設定可能である。
【００２８】
位相変調素子１４、２４は、例えばＬＣＯＳ（Liquid Crystal On Silicon）を用いて実現可能である。本素子では、液晶材料の配向方向を、駆動電極に印加する電圧で制御可能であり、これによって入力信号が感じる液晶の屈折率を変化させ位相を制御することができる。表面電極を透明電極とし、裏面電極を反射電極とすることにより、反射型の位相変調器を実現することができる。また、表面及び裏面電極の両方を透明電極とすることにより、透過型位相変調器を実現することができる。さらに、液晶材料の代わりに、電気光学効果を示す材料を用いても構わない。
【００２９】
位相変調素子１４，２４は、ＭＥＭＳ（Micro Electro Mechanical System）ミラーを用いても実現可能である。例えば電圧を印加することにより、各画素の位置に対応するミラーをｚ軸方向へ変位させることで画素ごとに光路長を変化させ、位相を制御することができる。
【００３０】
［出力方路選択方法］
出力方路の選択は、例えば、位相変調素子に入射される光の回折角を制御することによって、位相変調素子からの出射角度を変えて行う。図６に、位相変調素子に設定する位相パターンの一例を示す。位相パターンは、位相変調素子の各画素位置と位相量との関係を示す。図５に示した位相変調素子１４、２４のｙ軸方向の各画素に与える位相を示している。位相φ＝０〜２πののこぎり形状の波形を周期Λで与えている。
【００３１】
図７に、反射型位相変調素子における回折の例を示す。図６の位相パターンが与えられた位相変調素子は、図７に示すように、出射光の回折角を制御することができる。ここで、回折角度θｏ、すなわち位相変調素子の法線方向に対する出射光のなす角度は、下式で与えられる。  
tanθｉｎ＋tanθｏ＝ｍ・λ／Λ      式（１）
ただし、θｉｎは入射光角度、ｍは回折次数、λは入射光の波長、Λは位相パターンの１周期の長さである。図７には、入射光が位相変調素子の法線方向から入射する場合、すなわちθｉｎ＝０の場合が示されている。
【００３２】
このように、位相パターンの周期Λを変化させ、所定の出力ポートに最適な光結合が得られるように、回折角度θｏを調整することにより、任意の出力ポートに光結合させることができる。
【００３３】
［光強度制御方法］
次に、位相変調素子を用いて光強度を制御する方法について説明する。本実施形態では、図６に示した位相変調素子に印加する位相パターンに対して、周期性の位相パターンをさらに重畳することによって、出力光の強度の制御を行う。
【００３４】
図８に、位相変調素子からの出射光の光強度分布を示す。図８（Ａ）は、周期性位相パターンを重畳しない場合の偏向特性の例であり、図８（Ｂ）は、周期性位相パターンを重畳した場合の偏向特性の例である。図９は、位相変調素子に設定する周期性位相パターンの一例である。
【００３５】
本実施形態の光入出力装置において、所定の出力ポートへの結合が得られるような位相パターンとして、例えば、図６に示した、のこぎり形状の位相パターン５１のみを設定した場合には、図８（Ａ）に示すように、所定の出力ポートの角度方向を示す出射角度θｏへのみ、光ピーク強度６１が発生する。このとき、のこぎり波の振幅を２πとすることが好ましい。
【００３６】
この位相パターンに対して、図９に示した周期性位相パターンを重畳すると、図８（Ｂ）に示すように、複数の出射角度θｓ−２，θｓ−１，θｓ＋１，θｓ＋２に、光の回折による不要な不要光強度ピーク６２が現れる。ここで、１周期中の位相φが次の式（２）となる光強度制御用の位相パターン５２を重畳する。ｗは位相パターン５２の１周期の長さを示すパターン周期長であり、ｋは位相パターン５２の振幅を表す定数である。また、ｍｏｄ（ｙ，ｗ）はｙのｗでの剰余を示す。  
φ＝ｋ×ｍｏｄ（ｙ，ｗ）      式（２）
従って、ｋを変化させて光強度制御用の位相パターン５２の振幅（位相φ＝０〜ｎπ）を制御することにより、出射角度θｏにおける光強度ピーク６１の光強度が、不要光強度ピーク６２に分散されるため、光強度ピーク６１の光強度を減衰させることができる。これにより、所定の出力ポートへの出射光に対するアッテネーションが可能となる。光強度制御用の位相パターンとしてのこぎり波を例に説明したが、位相パターンは周期性を有するものであればよく、例えばサイン波、三角波、パルス波でもよい。
【００３７】
位相パターン５２により生じる不要光強度ピーク６２の角度方向を示す出射角度θｓは、次の式（３）で表すことができる。ここで、ｍ’は回折の次数であり、整数である。例えば、ｍ’＝１の場合におけるθｓをθｓ＋１と定義する。また、不要光強度ピーク６２の出射角度間隔ΔθｓをΔθｓ＝θｓ−θｏと定義する。  
θｓ＝θｏ＋ｍ’×ａｒｃｔａｎ（λ／ｗ）      式（３）
図１０に、位相変調素子からの出射光に与える位相量と出射光の光強度との関係を示す。位相変調素子にＬＣＯＳ−ＳＬＭを用い、位相変調素子の法線を中心（θ＝０）として、各入出力ポートをθ＝−０．８°〜０．８°の扇形の想定角度範囲内に配置した。光強度制御用の位相パターン５２のパターン周期長ｗは、４画素分に設定した。図１０から、位相パターン５２により出射光に与える位相量を変化させることにより、出射光の光強度を任意に制御可能であることが分かる。
【００３８】
ここで、光強度制御用の位相パターン５２により生じる不要光強度ピーク６２が、出力ポートの角度方向と一致する角度方向に発生した場合、クロストークが増大する原因となる。本実施形態では、これら不要光強度ピーク６２が、各出力ポートの角度方向と一致しない角度方向に光強度分布が発生するよう、位相パターン５２のパターン周期長ｗを選択する。ｗは小数でもよい。また、ＬＣＯＳなどの有限サイズのピクセルで構成される位相変調素子を用いた場合には、実際の位相パターンは、位相変調素子のピクセルによって量子化され、空間的に離散的な値をとっている。
【００３９】
不要光強度ピーク６２の方向が、各出力ポートの角度方向と一致させない具体的な方法として、不要光強度ピーク６２を、各出力ポートと結合する可能性があると想定される角度範囲の外側に発生させる。すなわち、各出力ポートの角度方向のすべてを含む扇形の想定角度範囲の外側に、不要光強度ピーク６２が発生するように位相パターン５２のパターン周期長ｗを選択する。
【００４０】
［ヒットレス制御の実施例］
ある出力ポートに所定の光強度で接続するための位相パターンから、別の出力ポートへ接続するための位相パターンに切り替える場合、動作途中の中間状態では位相パターンが複雑な周期をもつパターンとなるため、多数の高次回折光が発生する。この高次回折光は、多くの場合、他の出力ポートが存在する範囲にも出射されるため、ダイナミッククロストークが発生する。そこで、光スイッチング動作、アッテネーション動作を行う際に、複数の中間的な位相パターンを段階的に設定して、ダイナミッククロストークを抑制する。この中間的な位相パターンのすべてが、ポートの存在領域に不要な高次回折光ピークを持たないようなパターンであれば、ダイナミッククロストークを抑制することができる。
【００４１】
以下の模式図を使用して説明する。図１１（Ａ）に、上述した出力方路選択方法の模式図を示す。図６に示した位相パターン５１（位相φ＝０〜２π、以下、偏向パターンという）を位相変調素子に設定すると、図８（Ａ）に示したように、所定の出力ポートへの出射角度θｏにおいて光強度ピーク６１が発生する。図１１（Ｂ）に、上述した光強度制御方法の模式図を示す。位相パターン５１に、図９に示した周期性位相パターン５２（周期Γ、位相φ＝０〜ｎπ、以下、減衰パターンという）を重畳すると、図８（Ｂ）に示したように、出射角度間隔Δθｓ（＝１／Γ）で複数の不要光強度ピーク６２が発生する。図面には、のこぎり波状の位相パターンが記述されているが、周期性を有するものであればよく、例えばサイン波、三角波、パルス波でもよい。
【実施例１】
【００４２】
図１２を参照して、実施例１にかかる位相パターンの設定方法を説明する。出力ポートの角度方向のすべてを含む扇形の想定角度範囲をポート領域５３で表す。ここでは、ある出力ポート（第１の出力ポート）から別の出力ポート（第２の出力ポート）へスイッチングを行う際の位相パターンの設定フローを説明する。ポート領域５３内にある第１の出力ポートに結合する偏向パターン５１は、式（１）から決定される（図１２（Ａ））。偏向パターン５１に加える減衰パターン５２は、周期Γが第１の出力ポートと第２の出力ポートとの間隔に一致するように設定する（図１２（Ｂ））。
【００４３】
次に、同じ偏向パターン５１に、減衰パターン５２のｎのみを変えた複数の中間パターンを作成して、順次挿入していく。ｎは減衰パターンの振幅であり、例えば、０から２の範囲で変化する。ｎが異なる中間パターンが多いほど、隣り合う中間パターンの間の差分が小さくなるため、ダイナミッククロストークが少なくなる。なお、複数のｎは、線形に変化させる必要はない。ｎの値が増えていき最終的に２となる減衰パターン７１を与えると、これは第２の出力ポートに結合する偏向パターン（アッテネーションなし）と等価になる（図１２（Ｃ））。すなわち、ダイナミッククロストークを生じることなく、第１の出力ポートから第２の出力ポートへスイッチングを行うことができる。
【００４４】
実施例１では、偏向パターン７２を得るまでのステップ数が、後述する実施例と比較して少ないので、スイッチング動作の時間が短い。減衰パターンのｎを変えた中間パターンは、短周期になりにくいため、ディスクリネーションによるクロストークが少ないという利点がある。一方、出射角度の近い出力ポートにスイッチングする場合には、不要光強度ピークがポート領域５３に発生するため、出射角度の離れた出力ポートにスイッチングする場合にのみ適用できる。
【００４５】
第２の出力ポートにおいて、アッテネーション動作を行うためには、図１２（Ｃ）の偏向パターン７２を得てから、さらに減衰パターンを重畳する必要がある。このスイッチングを時間的にみると、第２の出力ポートの光強度が一度オーバーシュートした後に所望の強度になるという挙動（以下、ＡＴＴオーバーシュートという）を示す。ＡＴＴオーバーシュートは、クロストークと同様に、光スイッチング動作においては好ましくない。また、実施例１の設定フローは、ｎを変化させる中間パターンにおいて、２つ以上の出力ポートに結合しているため、光スイッチング動作にのみ適応可能であり、アッテネーション動作には適応できない。
【実施例２】
【００４６】
図１３および１４に、実施例２にかかる位相パターンの設定方法を示す。ある出力ポート（第１の出力ポート）から別の出力ポート（第２の出力ポート）へスイッチングを行う際の位相パターンの設定フローを説明する。実施例２においては、第１の出力ポートから、一旦、ポート領域５３の外にスイッチングしてから、次に、ポート領域５３内にある第２の出力ポートにスイッチングする。ポート領域５３内にある第１の出力ポートに結合する偏向パターン５１は、式（１）から決定される（図１３（Ａ））。
【００４７】
第１のステップとして、偏向パターン５１に対して、減衰パターン５２（周期Γ）のｎのみを変えた複数の中間パターンを作成して、順次挿入していく（図１３（Ｂ））。ｎは減衰パターンの振幅であり、ｎが増えるほど第１の出力ポートの光強度が減少する。ｎは０から２の範囲で変化し、ｎが異なる中間パターンが多いほど、隣り合う中間パターンの間の差分が小さくなるため、ダイナミッククロストークが少なくなる。なお、複数のｎは、線形に変化させる必要はない。ｎの値が増えていき最終的に２となると、完全アッテネーション状態となり、ポート領域５３の外にピークθａが存在する偏向パターン８１と等価になる（図１３（Ｃ））。
【００４８】
第２のステップとして、図１３（Ｃ）の完全アッテネーション状態の位相パターン８１に対して、さらに周期Γ’の減衰パターン８２を重畳する。このとき、第２の出力ポートに所望の光強度が得られるように、減衰パターン８２の周期を設定する（図１４（Ａ））。減衰パターン８２のｎのみを変えた複数の中間パターンを作成して、順次挿入していくことにより、第２の出力ポートの光強度を増加していく。ここで、ｎは減衰パターンの振幅であり、例えば、０から２の範囲で変化する。ｎが異なる中間パターンが多いほど、隣り合う中間パターンの間の差分が小さくなるため、ダイナミッククロストークが少なくなる。複数のｎは、線形に変化させる必要はない。ｎの値が増えていき最終的に２となる減衰パターン８３を与えると、第２の出力ポートに結合する偏向パターン８４（アッテネーションなし）と等価になる（図１４（Ｂ））。すなわち、ダイナミッククロストークを生じることなく、第１の出力ポートから第２の出力ポートへスイッチングを行うことができる。アッテネーション動作を行う場合、第２の出力ポートの光強度も減衰させておきたい場合は、中間パターンを設定している状態のいずれかで動作を終了させればよい。
【００４９】
実施例２では、偏向パターン８４を得るまでのステップ数が、後述する実施例と比較して少ないので、スイッチング動作の時間が短い。また、中間パターンを設定している状態のいずれかで動作を止めることにより、アッテネーション動作を、ＡＴＴオーバーシュートを発生させることなく行うことができるという利点がある。
【００５０】
一方、完全アッテネーション状態（図１３（Ｃ））において現れるピークθａから出射角度の近い第２の出力ポートにスイッチングする場合には、出力ポートの範囲内に高次光が発生してしまうため、ダイナミッククロストークが発生する。これを避けるためには、減衰パターンの周期を短くし、完全アッテネーション状態のピークθａをポート領域５３から十分遠ざける必要がある。しかしながら、この設定方法では、減衰パターンのｎを変えた複数のパターンが短周期になるため、印加した位相パターンと実際の位相パターンのずれ（ディスクリネーション）が生じ、クロストークが発生する要因となる。
【００５１】
さらに、図１３（Ｃ）の完全アッテネーション状態の偏向パターンが、各々の出力ポートで一致している必要があり、減衰パターンの周期に制約があるという欠点がある。
【実施例３】
【００５２】
図１５ないし１７に、実施例３にかかる位相パターンの設定方法を示す。ある出力ポート（第１の出力ポート）から別の出力ポート（第２の出力ポート）へスイッチングを行う際の位相パターンの設定フローを説明する。実施例３においては、第１の出力ポートから、一旦、ポート領域５３の外にスイッチングしてから、もう一度反対側のポート領域５３の外にスイッチングし、次に、ポート領域５３内にある第２の出力ポートにスイッチングする。ポート領域５３内にある第１の出力ポートに結合する偏向パターン５１は、式（１）から決定される（図１５（Ａ））。
【００５３】
第１のステップとして、偏向パターン５１に対して、所望のアッテネーション動作を行うための減衰パターン５２（周期Γ）のｎのみを変えた複数の中間パターンを作成して、順次挿入していく（図１５（Ｂ））。ｎは減衰パターンの振幅であり、ｎが増えるほど第１の出力ポートの光強度が減少する。ｎは０から２の範囲で変化し、ｎが異なる中間パターンが多いほど、隣り合う中間パターンの間の差分が小さくなるため、ダイナミッククロストークが少なくなる。なお、複数のｎは、線形に変化させる必要はない。ｎの値が増えていき最終的に２となると、完全アッテネーション状態となり、ポート領域５３の外にピークθａが存在する偏向パターン９１と等価になる（図１５（Ｃ））。
【００５４】
第２のステップとして、図１５（Ｃ）の完全アッテネーション状態である偏向パターン９１に対して、周期Γ’の減衰パターン９２のｎのみを変えた複数の中間パターンを作成して、順次挿入していく（図１６（Ａ））。ｎは減衰パターンの振幅であり、ｎが増えるほど完全アッテネーション状態のピークθａの光強度が減少する。ｎは０から２の範囲で変化し、ｎが異なる中間パターンが多いほど、隣り合う中間パターンの間の差分が小さくなるため、ダイナミッククロストークが少なくなる。なお、複数のｎは、線形に変化させる必要はない。第２のステップによって、ポート領域５３の領域に結合していき、ｎの値が２となると、完全アッテネーション状態となり、ポート領域５３の外にピークθｂが存在する偏向パターン９４と等価になる（図１６（Ｂ））。
【００５５】
第３のステップとして、減衰パターン９５のｎのみを変えた複数の中間パターンを作成して、順次挿入していく（図１７（Ａ））。ｎは減衰パターンの振幅であり、ｎが増えるほど第２の出力ポートの光強度が増加する。ｎは０から２の範囲で変化し、ｎが異なる中間パターンが多いほど、隣り合う中間パターンの間の差分が小さくなるため、ダイナミッククロストークが少なくなる。複数のｎは、線形に変化させる必要はない。ｎの値が増えていき最終的に２となる減衰パターン９６を与えると、第２の出力ポートに結合する偏向パターン９７（アッテネーションなし）と等価になる（図１７（Ｂ））。すなわち、ダイナミッククロストークを生じることなく、第１の出力ポートから第２の出力ポートへスイッチングを行うことができる。アッテネーション動作を行う場合、第２の出力ポートの光強度も減衰させておきたい場合は、中間パターンを設定している状態のいずれかで動作を終了させればよい。
【００５６】
実施例３では、完全アッテネーション状態（図１５（Ｃ））において現れるピークθａか出射角度の近い第２の出力ポートにスイッチングする場合であっても、完全アッテネーション状態（図１６（Ｂ））のピークθｂを介することにより、ダイナミッククロストークを抑制しつつ、スイッチング動作を行うことができる。従って、実施例２と組み合わせることにより、出力ポートの選択に制限がなくなる。また、中間パターンを設定している状態のいずれかで動作を止めることにより、アッテネーション動作を、ＡＴＴオーバーシュートを発生させることなく行うことができるという利点がある。
【００５７】
一方、偏向パターン９６を得るまでのステップ数が多いので、スイッチング動作の時間が長い。また、図１６（Ｃ）の時の偏向パターンが、各々の出力ポートで一致している必要があり、減衰パターンの周期に制約があるという欠点がある。
【実施例４】
【００５８】
図１８ないし２０に、実施例４にかかる位相パターンの設定方法を示す。ある出力ポート（第１の出力ポート）から別の出力ポート（第２の出力ポート）へスイッチングを行う際の位相パターンの設定フローを説明する。実施例４においては、第１の出力ポートから、一旦、ポート領域５３の外にスイッチングする。次に、ＬＣＯＳ−ＳＬＭの全ての画素位置の位相が一定であるベタ面のパターンを経由して、ポート領域５３内にある第２の出力ポートにスイッチングする。ポート領域５３内にある第１の出力ポートに結合する偏向パターン５１は、式（１）から決定される（図１８（Ａ））。
【００５９】
第１のステップとして、偏向パターン５１に対して、所望のアッテネーション動作を行うための減衰パターン５２（周期Γ）のｎのみを変えた複数の中間パターンを作成して、順次挿入していく（図１８（Ｂ））。ｎは減衰パターンの振幅であり、ｎが増えるほど第１の出力ポートの光強度が減少する。ｎは０から２の範囲で変化し、ｎが異なる中間パターンが多いほど、隣り合う中間パターンの間の差分が小さくなるため、ダイナミッククロストークが少なくなる。なお、複数のｎは、線形に変化させる必要はない。ｎの値が増えていき最終的に２となると、完全アッテネーション状態となり、ポート領域５３の外にピークθａが存在する偏向パターン９１と等価になる（図１８（Ｃ））。
【００６０】
第２のステップとして、図１８（Ｃ）の完全アッテネーション状態である偏向パターン１０１の振幅ｎのみを変えた（位相φを２πから０へ減じる）複数の中間パターンを作成して、順次挿入していく（図１９（Ａ））。ｎは０から２の範囲で変化し、ｎが異なる中間パターンが多いほど、隣り合う中間パターンの間の差分が小さくなるため、ダイナミッククロストークが少なくなる。なお、複数のｎは、線形に変化させる必要はない。ｎが減ると偏向パターン１０１の周期に応じた高次光が発生するが、０次の高次光（偏向角θ＝０°）以外はポート領域５３には入らない。
【００６１】
ｎの値が減少していき、最終的に０となると（偏向パターン１０２）、ＬＣＯＳ−ＳＬＭの位相が一定なベタ面のパターンとなり、正反射する光（０次光）のみが存在する（図１９（Ｂ））。偏向角θ＝０の位置に入力ポートがある場合は、正反射光による戻り光が発生するが、入力ポートに光アイソレータを配置することにより、戻り光を除去することができる。
【００６２】
第３のステップとして、第２の出力ポートが完全アッテネーション状態にある偏向パターンの振幅ｎを変化させた位相パターンを順次挿入していく。ｎは０から２の範囲で変化し、ｎが異なる中間パターンが多いほど、隣り合う中間パターンの間の差分が小さくなるため、ダイナミッククロストークが少なくなる。複数のｎは、線形に変化させる必要はない。ｎの値が増えていき最終的に２となると、第２の出力ポートが完全アッテネーション状態にある偏向パターン１０３となる（図１９（Ｃ））。
【００６３】
第４のステップとして、減衰パターン１０４のｎのみを変えた複数の中間パターンを作成して、順次挿入していく（図２０（Ａ））。ｎは減衰パターンの振幅であり、ｎが増えるほど第２の出力ポートの光強度が増加する。ｎは０から２の範囲で変化し、ｎが異なる中間パターンが多いほど、隣り合う中間パターンの間の差分が小さくなるため、ダイナミッククロストークが少なくなる。複数のｎは、線形に変化させる必要はない。ｎの値が増えていき最終的に２となる減衰パターン１０５を与えると、第２の出力ポートに結合する偏向パターン１０６（アッテネーションなし）と等価になる（図２０（Ｂ））。すなわち、ダイナミッククロストークを生じることなく、第１の出力ポートから第２の出力ポートへスイッチングを行うことができる。アッテネーション動作を行う場合、第２の出力ポートの光強度も減衰させておきたい場合は、中間パターンを設定している状態のいずれかで動作を終了させればよい。
【００６４】
実施例４では、ベタ面のパターンを経由することにより、第２の出力ポートの選択に制限がなくなる。また、中間パターンを設定している状態のいずれかで動作を止めることにより、アッテネーション動作を、ＡＴＴオーバーシュートを発生させることなく行うことができるという利点がある。減衰パターンのｎを変えた複数の中間パターンは、短周期にならないため、ディスクリネーションによるクロストークが少ない。
【００６５】
一方、偏向パターン１０５を得るまでのステップ数が多いので、スイッチング動作の時間が長い。位相変化のないベタ面のパターンを設定するので、戻り光（０次光）が発生するという欠点がある。なお、戻り光は、入力ポートと位相変調素子との間の光路上にアイソレータを挿入して除去する必要がある。
【００６６】
［実施例のまとめ］
図２１に、上述した各実施例の利点と欠点とをまとめる。すべての実施例において効果を高めるには、ｎを変化させた中間パターンの枚数が多いほどよい。しかし、中間パターンの枚数が増えるほど、中間パターンを表示している時間が短くなるか、またはスイッチング時間が長くなる。従って、効果を最大化するためには、許容するスイッチング時間をｔ、位相変調素子の応答速度をτ、すべての中間パターンの合計数をＮとすると、
Ｎ＝ｔ／τ
の関係に近い値をとるのが好ましい。例えば、ｔ＝１ｓｅｃ、ＬＣＯＳ−ＳＬＭのτが１００ｍｓｅｃであればＮ＝１０程度が好ましい。
【符号の説明】
【００６７】
１１，１６，２１，２７  光ファイバ
１２，１５，２２，２６  コリメートレンズ
１３，２３，２５  光学素子
１４，２４  位相変調素子
１７，２８，２９  波長分散素子
１８，３０  駆動回路
４１  画素
４２  駆動素子
４３  反射部
【要約】
【課題】アッテネーション動作時、接続ポート切り替え動作時に過渡的に発生するクロストーク増大を抑制することができる光入出力装置を提供する。
【解決手段】位相変調素子の駆動素子は、複数の画素に印加する位相パターンであって、所定の出力ポートに光結合させるための偏向パターンに、前記所定の出力ポートに光結合させる光信号の光強度を制御する減衰パターンを重畳した位相パターンを、前記複数の画素に印加し、第１の出力ポートに光結合させるための第１の位相パターンから第２の出力ポートに光結合させるための第２の位相パターンに切り替える場合、前記第１および第２の位相パターンの間に複数の中間パターンを設定する。
【選択図】図１１【図１】
0005852198.tif 000002
【図２】
0005852198.tif 000003
【図３】
0005852198.tif 000004
【図４】
0005852198.tif 000005
【図５】
0005852198.tif 000006
【図６】
0005852198.tif 000007
【図７】
0005852198.tif 000008
【図８】
0005852198.tif 000009
【図９】
0005852198.tif 000010
【図１０】
0005852198.tif 000011
【図１１】
0005852198.tif 000012
【図１２】
0005852198.tif 000013
【図１３】
0005852198.tif 000014
【図１４】
0005852198.tif 000015
【図１５】
0005852198.tif 000016
【図１６】
0005852198.tif 000017
【図１７】
0005852198.tif 000018
【図１８】
0005852198.tif 000019
【図１９】
0005852198.tif 000020
【図２０】
0005852198.tif 000021
【図２１】
0005852198.tif 000022